(57)【要約】【課題】回路基板に実装されている発光ダイオード、ドライバ等の部品の発熱により前記回路基板及び部品が昇温するのを抑制することができる電子装置、光源装置及び表示装置を提供する。【解決手段】回路部を有し、発光ダイオード１が実装されている発光ダイオード基板３と、該発光ダイオード基板３に伝達される熱を放熱する放熱体１２と、前記回路部に接続される第１の導体層４１及び発光ダイオード基板３の非回路部に接続される第２の導体層４２を有するフレキシブルプリント基板４とを備え、第２の導体層４２に放熱体１２を接触配置することにより、発光ダイオード基板３に伝達される熱を該発光ダイオード基板３からフレキシブルプリント基板４の第２の導体層４２を経て放熱体１２に伝達し、放熱するようにした。【選択図】図１
2010103308.tif 000002
【特許請求の範囲】
【請求項１】
回路部を有し、部品が実装されている回路基板と、該回路基板に伝達される熱を放熱する放熱体とを備える電子装置において、前記回路部に接続される第１の導体層及び前記回路基板の非回路部に接続される第２の導体層を有するフレキシブルプリント基板を備え、前記放熱体を前記第２の導体層に接触配置してあることを特徴とする電子装置。
【請求項２】
前記第２の導体層は前記第１の導体層に絶縁層を介して積層してある請求項１記載の電子装置。
【請求項３】
前記第２の導体層は、前記第１の導体層側へ偏倚し、前記非回路部に取付けられる取付片を有する請求項１又は２記載の電子装置。
【請求項４】
前記取付片は前記フレキシブルプリント基板の周縁２箇所に配してあり、前記第１の導体層は前記取付片の間に配される接続部を有する請求項３記載の電子装置。
【請求項５】
前記部品に関係する第２部品を備え、前記第１の導体層は前記第２部品を実装してある請求項１から４のいずれか一つに記載の電子装置。
【請求項６】
前記回路基板は複数並置され、隣合う回路基板に前記フレキシブルプリント基板を接続してある請求項１から５のいずれか一つに記載の電子装置。
【請求項７】
前記回路基板を支持する支持面を有する支持体を備え、該支持体における前記フレキシブルプリント基板と対向する箇所に凹所を設けてある請求項１から６のいずれか一つに記載の電子装置。
【請求項８】
前記第２部品は前記凹所に収容してある請求項７記載の電子装置。
【請求項９】
前記放熱体は、前記支持体における前記支持面と反対側の面に接触している請求項７又は８記載の電子装置。
【請求項１０】
前記部品が発光ダイオードである請求項１から９のいずれか一つに記載の電子装置と、前記発光ダイオードが発光した光を前記回路基板と反対方向へ導く導光板とを備えることを特徴とする光源装置。
【請求項１１】
一側に表示面を有する表示部と、該表示部の他側に配されている請求項１０記載の光源装置とを備えることを特徴とする表示装置。
【発明の詳細な説明】
【技術分野】
【０００１】
本発明は部品が実装されている回路基板及び前記部品の昇温を抑制することができる電子装置、液晶表示装置等の表示装置の光源として使用される光源装置、及びこの光源装置を備える表示装置に関する。
【背景技術】
【０００２】
テレビジョン等の表示装置は、画像を表示する表示面を前側に有する表示部の後側に光源装置が配されており、該光源装置に電子装置が設けられている。
【０００３】
光源装置は、例えば発光ダイオードを実装してある複数の発光ダイオード基板と、該発光ダイオード基板を収容支持する箱形フレームとを備え、該箱形フレームにおける底板の前記発光ダイオード基板と対向する部分に放熱孔を開設し、前記発光ダイオード基板の実装面と反対側面を放熱孔に露出させ、光源としての発光ダイオードが発生する熱を放熱孔から箱形フレームの外部へ放熱するように構成されている（例えば、特許文献１参照。）。
【特許文献１】特開２００７−３１７７７８号公報
【発明の開示】
【発明が解決しようとする課題】
【０００４】
しかし、特許文献１のように箱形フレームに放熱孔を開設して放熱する光源装置にあっては、発光ダイオード基板の実装面と反対側面が箱形フレームの外部空気に触れて自然対流により放熱されるだけであるため、発光ダイオード基板の放熱性が悪いという問題がある。
【０００５】
テレビジョン等の表示装置は、光源として発光ダイオードを使用することにより薄型化を図ることができる。しかし、特許文献１のように発光ダイオードを用いるだけでは、輝度特性を高めることができないため、一般には発光ダイオードが発光した光を発光ダイオード基板と反対方向へ均等に導光する導光板が用いられている。
【０００６】
ところが、発光ダイオード基板には、発光ダイオード及び該発光ダイオードを動作させるドライバが実装されており、また、ドライバは発光ダイオードよりも実装面積が多く、且つ発光ダイオードの高さよりも高いため、このドライバの配置箇所が制約され、ひいては発光ダイオードの配置箇所が制約され、輝度特性の改善に支障を来す。
【０００７】
図１５は先に開発された光源装置に組込まれている電子装置の構成を示す拡大断面図である。本発明の出願人はより一層の薄型化を図るべく、図１５に示すように発光ダイオード基板１００の一面に発光ダイオード１０１を実装し、発光ダイオード１０１を動作させるドライバ１０２を他面に実装することにより輝度特性を改善することができるようにした光源装置を先に開発した。また、発光ダイオード１０１は温度が高くなるほど輝度ムラが発生し易いため、先に開発した光源装置では、発光ダイオード基板１００のドライバ実装面側に、該ドライバ１０２の高さ以上の厚さを有する放熱板１０３を、前記ドライバ１０２を避けて設けることにより、ドライバ１０２の発熱により発生した熱を、発光ダイオード基板１００から放熱板１０３を経て外部へ放熱し、ドライバ１０２による発光ダイオード基板１００の昇温を抑制し、輝度ムラを低減している。
【０００８】
しかし、先に開発された光源装置にあっては、発光ダイオード１０１を動作させるドライバ１０２を避けて放熱板１０３が設けられるため、発光ダイオード基板１００に対する放熱板１０３の放熱面積が制約され、放熱の効率化を図り難いし、また、ドライバ１０２の高さ以上の厚さを有する放熱板１０３が薄型化に支障を来し、より一層の改善策が要望されていた。
【０００９】
本発明は斯かる事情に鑑みてなされたものであり、主たる目的は発光ダイオード等の部品が実装されている回路基板の回路部に接続される第１の導体層及び非回路部に接続される第２の導体層を有するフレキシブルプリント基板を設け、該フレキシブルプリント基板の第２の導体層に放熱体を接触配置することにより、回路基板及び該回路基板に実装されている部品の昇温を効率よく抑制することができるとともに、放熱体に影響されることなく薄型化を図ることができる電子装置、光源装置及び表示装置を提供することにある。
【課題を解決するための手段】
【００１０】
本発明に係る電子装置は、回路部を有し、部品が実装されている回路基板と、該回路基板に伝達される熱を放熱する放熱体とを備える電子装置において、前記回路部に接続される第１の導体層及び前記回路基板の非回路部に接続される第２の導体層を有するフレキシブルプリント基板を備え、前記放熱体を前記第２の導体層に接触配置してあることを特徴とする。
【００１１】
この発明にあっては、回路基板に実装されている部品から回路基板に伝達される熱を、回路基板から直接放熱することができるとともに、回路基板からフレキシブルプリント基板の第２の導体層を経て放熱体に伝達することができるため、回路基板及び該回路基板に実装されている部品の昇温を効率よく抑制することができる。因って、光源としての発光ダイオードが前記部品である場合、該発光ダイオードの昇温による輝度ムラを低減でき、しかも、放熱体に影響されることなく薄型化を図ることができる。
【００１２】
また、本発明に係る電子装置は、前記第２の導体層は前記第１の導体層に絶縁層を介して積層してある構成とするのが好ましい。
この発明にあっては、フレキシブルプリント基板の第１の導体層に影響を及ぼすことなく第２の導体層が形成されるため、第２の導体層の放熱体との接触面積を比較的多くすることができ、フレキシブルプリント基板での放熱性を高めることができる。
【００１３】
また、本発明に係る電子装置は、前記第２の導体層は、前記第１の導体層側へ偏倚し、前記非回路部に取付けられる取付片を有する構成とするのが好ましい。
この発明にあっては、取付片が伝熱部を兼ねるため、取付片が回路基板に取付けられることにより、実装されている部品から回路基板に伝達される熱を、取付片から第２の導体層に伝熱することができ、フレキシブルプリント基板への熱伝達性を高めることができる。
【００１４】
また、本発明に係る電子装置は、前記取付片は前記フレキシブルプリント基板の周縁２箇所に配してあり、前記第１の導体層は前記取付片夫々の間に配される接続部を有する構成とするのが好ましい。
この発明にあっては、接続部が回路基板に接続されることにより、取付片の回路基板に対する位置が決まるため、フレキシブルプリント基板の組込作業性を高めることができる。
【００１５】
また、本発明に係る電子装置は、前記部品に関係する第２部品を備え、前記第１の導体層は前記第２部品を実装してある構成とするのが好ましい。
この発明にあっては、回路基板に実装されている部品に関係する第２部品が回路基板に実装されることなく、フレキシブルプリント基板に実装され、該フレキシブルプリント基板が回路基板に接続されているため、第２部品の発熱により発生する熱が回路基板へ直接伝達されるのを抑制でき、しかも、第２部品の実装面を経てフレキシブルプリント基板から放熱することができ、放熱面積を比較的大きくすることができるため、回路基板及び該回路基板に実装されている部品の昇温をより一層抑制することができる。因って、光源としての発光ダイオードが前記部品である場合、該発光ダイオードの昇温による輝度ムラをより一層低減できる。また、前記部品が実装されている回路基板と、フレキシブルプリント基板に実装されている第２部品とを並置することができるため、電子装置をより一層薄型化できる。
【００１６】
また、本発明に係る電子装置は、前記回路基板は複数並置され、隣合う回路基板に前記フレキシブルプリント基板を接続してある構成とするのが好ましい。
この発明にあっては、隣合う回路基板夫々に伝達される熱を、隣合う回路基板に接続してあるフレキシブルプリント基板に伝達し、該フレキシブルプリント基板の放熱体から放熱することができるため、隣合う回路基板夫々に伝達される熱を効率よく放熱することができる。
【００１７】
また、本発明に係る電子装置は、前記回路基板を支持する支持面を有する支持体を備え、該支持体における前記フレキシブルプリント基板と対向する箇所に凹所を設けてある構成とするのが好ましい。
この発明にあっては、フレキシブルプリント基板の第２の導体層と対接する放熱体を支持体における支持面と反対側へ配することができるため、回路基板に伝達される熱をより一層効率よく放熱することができる。
【００１８】
また、本発明に係る電子装置は、前記第２部品は前記凹所に収容してある構成とするのが好ましい。
この発明にあっては、フレキシブルプリント基板に実装される第２部品が、回路基板を支持する支持体の凹所に収容してあるため、支持体を備える構成において、前記第２部品の大きさに影響されることなく、電子装置を薄型化することができる。
【００１９】
また、本発明に係る電子装置は、前記放熱体は、前記支持体における前記支持面と反対側の面に接触している構成とするのが好ましい。
この発明にあっては、回路基板からフレキシブルプリント基板に伝達された熱を、該フレキシブルプリント基板の第２の導体層から放熱体を経て支持体に伝達し、該支持体から放熱することができるため、回路基板及び該回路基板に実装されている部品の昇温をより一層効率よく抑制することができる。因って、光源としての発光ダイオードが前記部品である場合、該発光ダイオードの昇温による輝度ムラをより一層低減できる。
【００２０】
また、本発明に係る光源装置は、前記部品が発光ダイオードである前述した発明の電子装置と、前記発光ダイオードが発光した光を前記回路基板と反対方向へ導く導光板とを備えることを特徴とする。
この発明にあっては、回路基板に実装されている発光ダイオードから回路基板に伝達される熱を、フレキシブルプリント基板に取付けてある放熱体から放熱することができ、しかも、放熱面積を比較的大きくすることができるため、回路基板及び該回路基板に実装されている発光ダイオードの昇温を抑制することができ、該発光ダイオードの昇温による輝度ムラを低減できる。
また、発光ダイオードが実装されている回路基板と、フレキシブルプリント基板に対接する放熱体とを並置することができるため、電子装置及び導光板を備える光源装置を薄型化することができる。
【００２１】
また、本発明に係る表示装置は、一側に表示面を有する表示部と、該表示部の他側に配されている前述した発明の光源装置とを備えることを特徴とする。
この発明にあっては、光源装置が備える回路基板及び該回路基板に実装されている発光ダイオードの昇温を効率よく抑制することができるため、発光ダイオードの昇温による輝度ムラを低減でき、しかも、放熱体に影響されることなく薄型化を図ることができる。
【発明の効果】
【００２２】
本発明によれば、回路基板に実装されている部品から回路基板に伝達される熱を、フレキシブルプリント基板及び該フレキシブルプリント基板の第２の導体層に接触配置されている放熱体から放熱することができ、また、放熱面積を比較的大きくすることができるため、回路基板及び該回路基板に実装されている部品の昇温を抑制することができ、しかも、放熱体に影響されることなく薄型化を図ることができる。
【発明を実施するための最良の形態】
【００２３】
以下本発明をその実施の形態を示す図面に基づいて詳述する。
実施の形態１
図１及び図２は光源装置に組込まれる電子装置の構成を示す拡大断面図、図３は電子装置におけるフレキシブルプリント基板の構成を示す平面図、図４は光源装置に組込まれた電子装置部分の構成を示す模式的背面側斜視図、図５は光源装置に組込まれた電子装置部分の構成を示す拡大した背面図、図６は光源装置の構成を示す背面図、図７は光源装置の一部の回路基板を取外した状態の構成を示す背面図である。
【００２４】
図示した光源装置は、前側に表示面を有し、略直方体をなす表示部を備える薄型の表示装置における表示部の後側に装着されるもので、碁盤目のように並置される複数の発光ダイオード１と、該発光ダイオード１及び発光ダイオード１夫々を動作させるためのドライバ２とを実装してあり、格子状に並置される複数の発光ダイオード基板３と、隣合う発光ダイオード基板３，３に両端が接続されるフレキシブルプリント基板４と、発光ダイオード基板３を並べて支持する支持体５と、発光ダイオード１が発光した光を横方向へ導く複数の導光板６と、該導光板６が導いた光を支持体５と反対方向へ反射させる複数の反射板７とを備える。
【００２５】
図８は発光ダイオード基板部分の構成を示す模式的分解図、図９は光源装置に組込まれた電子装置部分の構成を示す模式的正面側斜視図、図１０は発光ダイオード基板部分の構成を示す模式的断面図である。
【００２６】
発光ダイオード基板３は一面及び他面に回路部を有する略矩形をなし、一面に複数の発光ダイオード１を長手方向及び幅方向に並べて実装してあり、他面に、一面の発光ダイオード１夫々を動作させるための一つのドライバ２及び二つの接続部３１，３２が設けられている。
【００２７】
発光ダイオード１は図８(a) に示すように前記長手方向に例えば８個、前記幅方向に例えば４個、合計で３２個実装してあり、発光ダイオード１夫々に対応して３２個の導光板６を配してあり、また、前記長手方向一列の発光ダイオード１に対応して１枚の反射板７、合計４枚の反射板７を配してある。
【００２８】
発光ダイオード基板３には導光板６を止具９にて支持体５に取付けるための第１挿通孔３３が導光板６夫々に対応して開設されている。１つの発光ダイオード基板３と導光板６との関係は図８(b) に示すように構成されており、図９に示すように略矩形をなす支持体５の一面に長手方向及び幅方向に並べて配置されている。また、発光ダイオード基板３の発光ダイオード１夫々に臨む部分には反射層３４がシルク印刷により形成されている。
【００２９】
並置された発光ダイオード基板３において、前記長手方向一列の発光ダイオード基板３は、隣合う２つ同士がフレキシブルプリント基板４にて接続され、一端の発光ダイオード基板３が後記する電源回路基板に第２フレキシブルプリント基板１０にて接続され、他端の発光ダイオード基板３が後記する制御回路基板に第３フレキシブルプリント基板１１にて接続されている（図１、図２、図４参照）。
【００３０】
フレキシブルプリント基板４は、絶縁フィルムと、該絶縁フィルムの一面に回路部がプリントされている第１の導体層４１と、絶縁フィルムの他面側に積層されているフィルム状の第２の導体層４２と、第１及び第２の導体層４１，４２夫々を被覆する絶縁層とを有する矩形をなし、長手方向の両端部に接続部４３，４４が設けられている（図１〜図３参照）。
【００３１】
第１の導体層４１における両端部の角部は欠除され、欠除部４ａ，４ａ間の第１の導体層４１に接続部４３，４４が設けられている。
【００３２】
第２の導体層４２を被覆する絶縁層の少なくとも中央部は剥離され、該剥離により露出する第２の導体層４２にシート状の放熱体１２が接合されている。第２の導体層４２における両端部の幅方向中央部は欠除され、欠除部４ｂの両側（角部）に、欠除部４ｂから第１の導体層４１側へ偏倚する取付片４５，４５が設けられており、また、欠除部４ａの両側の絶縁フィルムは除去され、取付片４５，４５が露出している。
【００３３】
取付片４５，４５は基部及び中間が図２に示すように異方向へ曲げられ、先部が発光ダイオード基板３の他面と面接触するように略Ｌ字形をなしている。取付片４５，４５の先部には厚さ方向へ貫通する貫通孔４６が開設され、貫通孔４６に挿入される金属製の雄螺子１３を発光ダイオード基板３に捩込むことにより先部が前記他面と面接触した状態で固定され、発光ダイオード基板３に伝達されている熱を雄螺子１３を経て取付片４５，４５に伝達することができるように構成されている。
【００３４】
放熱体１２は、両端部がフレキシブルプリント基板４の両側縁から外部へ突出する長さの矩形をなすシートであり、両端部が後記する支持体における板部の他面と面接触するように構成されている。
【００３５】
図１１は導光板の構成を示す斜視図である。導光板６は略直方体をなし、入光面６ａと、該入光面６ａに入光した光を入光面６ａとほぼ直交する方向へ照射する出光面６ｂとを有し、発光ダイオード１の一側と対向する位置に入光面６ａを配し、前記表示部の後側の面と対向する位置に出光面６ｂを配してあり、出光面６ｂと反対側の面に反射板７が貼付けられている。具体的には、長手方向一方側の一面が発光ダイオード基板３と平行の扁平面、長手方向他方側の一面及び他面が発光ダイオード基板３に対して傾斜する傾斜面になっており、長手方向他方側の端部に、四角形をなす収容孔６１及び第１挿通孔３３に対応する第２挿通孔６２が開設され、収容孔６１の一面を入光面６ａ、扁平面を出光面６ｂとしてあり、他面に反射板７が貼付けられている。
【００３６】
導光板６は一面の傾斜する傾斜面と、隣合う導光板６の他面とが対向するように並置され、導光板６夫々の出光面６ｂは発光ダイオード基板３に対して等距離の面一となり、第２挿通孔６２及び第１挿通孔３３に挿入される止具９により支持体５に固定される。
【００３７】
止具９は、離隔して対向する二つのピン９１と、該ピン９１の一端を連結する連結板９２とを有し、隣合う導光板６の第２挿通孔６２から第１挿通孔３３へピン９１を挿入し、該ピン９１の先端部を後記する取付孔に嵌入することにより導光板６及び発光ダイオード基板３を支持体５に固定するように構成されている。
【００３８】
支持体５は金属板を成形してなり、略矩形をなす平板状の板部５１を有し、該板部５１の支持面としての一面に、図８に示す発光ダイオード基板３及び導光板６を長手方向及び幅方向に並べて支持してあり、発光ダイオード基板３夫々と板部５１との間に間座１４を介在してある。間座１４は放熱性を有しており、発光ダイオード基板３の他面に実装されているドライバ２を避けて配してある。
【００３９】
板部５１にはフレキシブルプリント基板４夫々を板部５１の他面側から発光ダイオード基板３，３に接続するための複数の凹所５２と、第２フレキシブルプリント基板１０及び第３フレキシブルプリント基板１１夫々を板部５１の他面側から発光ダイオード基板３に接続するための複数の貫通孔５３，５４と、第１挿通孔３３に対応し、導光板６夫々を止具９にて取付けるための複数の取付孔５５とが開設されている。
【００４０】
凹所５２は貫通する四角形の孔からなり、フレキシブルプリント基板４よりも若干大きく形成されている。また、凹所５２は図１、図２に示すように隣合う発光ダイオード基板３，３の一部にて隠蔽され、隣合う発光ダイオード基板３，３間の距離が比較的短くなっている。
【００４１】
板部５１における他面の長手方向一側部には、第２フレキシブルプリント基板１０が接続され、ドライバ２に電圧を供給する電源回路基板１５が取付けられており、長手方向他側部には、第３フレキシブルプリント基板１１が接続され、ドライバ２を制御する制御回路基板１６が取付けられている。また、板部５１における他面の長手方向中央部には前記表示部に電圧を供給する電源回路基板１７、前記表示部の表示面に表示される画像を処理する端子回路基板１８、前記表示部を制御する制御回路基板１９等の複数の回路基板が取付けられている。
【００４２】
以上のように構成された光源装置は、支持体５における板部５１の一面に発光ダイオード基板３が間座１４を介して複数列に並置され、該発光ダイオード基板３上に導光板６が複数列に並置され、第２挿通孔６２及び第１挿通孔３３に挿入する止具９のピン９１を取付孔５５に嵌入することにより発光ダイオード基板３夫々が間座１４を介して板部５１の一面に固定されるとともに、導光板６夫々が発光ダイオード基板３上に固定される。
【００４３】
また、板部５１の他面側からフレキシブルプリント基板４の両端部を凹所５２に挿入し、該フレキシブルプリント基板４の接続部４３，４４を発光ダイオード基板３の接続部３１，３２に接続し、電源回路基板１５、制御回路基板１６が板部５１の他面に取付けられ、一列の一端側発光ダイオード基板３と電源回路基板１５とが第２フレキシブルプリント基板１０により接続され、一列の他端側発光ダイオード基板３と制御回路基板１６とが第３フレキシブルプリント基板１１により接続される。
【００４４】
隣合う発光ダイオード基板３，３同士を接続するフレキシブルプリント基板４は、発光ダイオード基板３の回路部に接続される第１の導体層４１及び非回路部に接続される第２の導体層４２を有し、第２の導体層４２に放熱体１２が取付けられており、発光ダイオード１及びドライバ２から発光ダイオード基板３に伝達された熱を第２の導体層４２から放熱体１２に伝達し、該放熱体１２から放熱することができ、放熱面積を比較的多くすることができる。因って、発光ダイオード基板３及び該発光ダイオード基板３に実装されている発光ダイオード１、ドライバ２の昇温を抑制することができ、発光ダイオード１の昇温による輝度ムラを低減できる。
【００４５】
放熱体１２は発光ダイオード基板３を支持する支持体５における板部５１の他面に面接触しており、放熱体１２に伝達された熱を、該放熱体１２から支持体５に伝達し、該支持体５から放熱することができるため、放熱体１２による放熱性をより一層高めることができ、発光ダイオード１の昇温による輝度ムラをより一層低減できる。
【００４６】
また、隣合う発光ダイオード基板３，３同士を接続するフレキシブルプリント基板４に接合されている放熱体１２を、隣合う発光ダイオード基板３，３と一列に並置することができるため、発光ダイオード基板３部分を薄型化、ひいては光源装置を薄型化することができる。また、隣合う発光ダイオード基板３，３同士を板部５１の他面側から接続するために開設されている凹所５２に放熱体１２を配してあるため、発光ダイオード基板３と板部５１との間の距離を短縮することができ、光源装置を薄型化することができる。
【００４７】
図１２は本発明に係る光源装置を備える表示装置の構成を示す断面図である。この表示装置は、テレビ画像を表示する表示面を前側に有する表示部８０と、該表示部８０の後側に配されている光源装置Ａと、表示部８０の周縁部及び光源装置Ａの後側を被覆するキャビネット８１とを備える。
【００４８】
表示部８０は、表示面を有する表示パネル８２と、該表示パネル８２の後側に配されている光学シート８３とを有する。表示パネル８２の周縁部は、前保持枠体８４と、後保持枠体８５とにより前後に挾着保持され、パネルモジュールを構成しており、後保持枠体８５が支持体５の周縁部に取付けられている。
【００４９】
光学シート８３は、光源としての発光ダイオード１が発光した光を拡散する比較的厚肉の二枚の拡散板８３ａと、反射偏光板、プリズムシート、拡散シート等の比較的薄肉の合成樹脂シート８３ｂが積層された積層体であり、拡散板８３ａの周縁部が後記する第２支持板を介して支持体５の周縁部に支持されている。
【００５０】
支持体５の板部５１の周縁部には板厚方向へ偏倚する段部５６が設けられており、該段部５６と発光ダイオード基板３との間に導光板６夫々の一部を支持する細長状の第１支持板８６が取付けられ、段部５６よりも周縁側に光学シート８３を支持する細長状の第２支持板８７が取付けられる。
【００５１】
キャビネット８１は、表示部８０の周縁部前側を被覆するキャビネット前分体８１ａと、光源装置Ａの周縁部及び後側を被覆する深皿形状のキャビネット後分体８１ｂとを有し、支持体５の周縁に雄螺子により取付けられている。
【００５２】
実施の形態２
図１３は光源装置に組込まれる電子装置の他の構成を示す拡大断面図である。この電子装置は、発光ダイオード基板３に発光ダイオード１及びドライバ２が実装されている構成とする代わりに、発光ダイオード基板３には発光ダイオード１が実装され、ドライバ２はフレキシブルプリント基板４の第１の導体層４１に実装されている構成としたものである。
【００５３】
この実施の形態において、フレキシブルプリント基板４における第１の導体層４１側絶縁層の一部が剥離され、該剥離により露出する回路部に第２部品としてのドライバ２がチップオンボード（ＣＯＢ）により実装される。
【００５４】
図１３に示す実施の形態にあっては、発光ダイオード基板３は、一面に発光ダイオード１が実装され、隣合う発光ダイオード基板３，３同士を接続するフレキシブルプリント基板４に、発光ダイオード１を動作させるためのドライバ２及び放熱体１２が設けられているため、ドライバ２の発熱により発生した熱が発光ダイオード基板３へ直接伝達されるのを抑制でき、該熱をフレキシブルプリント基板４から放熱体１２に伝達し、該放熱体１２から放熱することができるため、発光ダイオード基板３及び該発光ダイオード基板３に実装されている発光ダイオード１の昇温をより一層抑制することができ、発光ダイオード１の昇温による輝度ムラをより一層低減できる。
【００５５】
また、隣合う発光ダイオード基板３，３同士を接続するフレキシブルプリント基板４に実装されているドライバ２を、隣合う発光ダイオード基板３，３と一列に並置することができるとともに、間座１４をなくすることができるため、発光ダイオード基板３部分をより一層薄型化、ひいては光源装置をより一層薄型化することができる。
【００５６】
また、隣合う発光ダイオード基板３，３同士を板部５１の他面側から接続するために開設されている凹所５２にドライバ２を配してあるため、発光ダイオード基板３と板部５１との間の距離を比較的短くすることができ、光源装置をより一層薄型化することができる。また、凹所５２に配してあるドライバ２の大きさに影響されることなく隣合う発光ダイオード基板３，３間の離隔距離を比較的短くすることができるため、発光ダイオード基板３に実装されている発光ダイオード１を比較的短い間隔で配置することができ、発光ダイオード１による輝度特性を高めることができる。
【００５７】
実施の形態３
図１４は光源装置に組込まれる電子装置の他の構成を示す拡大断面図である。この電子装置は、フレキシブルプリント基板４を雄螺子にて取付ける構成とする代わりに、フレキシブルプリント基板４の取付片４５，４５と発光ダイオード基板３の他面との間に、発光ダイオード基板３に伝達される熱をフレキシブルプリント基板４の第２の導体層４２に伝達するシート状の熱伝達体２０を設けたものである。
【００５８】
熱伝達体２０は、接続部４３，４４が接続部３１，３２に接続されるとき、取付片４５，４５と発光ダイオード基板３の他面との間に挾着保持されるが、その他、取付片４５，４５又は発光ダイオード基板３の他面に予め保持されている構成であってもよい。
【００５９】
図１４に示す実施の形態にあっては、発光ダイオード基板３に伝達される熱を、雄螺子を用いることなくフレキシブルプリント基板４の第２の導体層４２に伝達することができるため、雄螺子の捩込み作業を行うことなくフレキシブルプリント基板４を組込むことができ、組込作業性を高めることができる。
【００６０】
尚、以上説明した実施の形態では、光源として発光ダイオード１を実装してある発光ダイオード基板３の昇温を抑制する構成としたが、その他、昇温を抑制する回路基板は発光ダイオード基板３に制限されない。
【００６１】
また、以上説明した実施の形態では、放熱体１２をフレキシブルプリント基板４の第２の導体層４２に接合して接触配置する構成としたが、その他、放熱体１２は第２の導体層４２に接合することなく、端部を支持体５の板部５１に接合し、中央部が第２の導体層４２に接触するように配置した構成としてもよい。
【００６２】
また、以上説明した実施の形態では、回路基板としての発光ダイオード基板３に実装される部品に関係する第２部品をドライバ２としたが、その他、第２部品はドライバ２に制限されない。
【００６３】
また、以上説明した実施の形態では、フレキシブルプリント基板４と対向する箇所に、貫通する凹所５２を開設してある構成としたが、その他、凹所５２は発光ダイオード基板３を支持する支持面よりも窪む非貫通の窪みであってもよい。また、凹所５２は必ずしも必要でない。
【図面の簡単な説明】
【００６４】
【図１】本発明に係る光源装置に組込まれる電子装置の構成を示す拡大断面図である。
【図２】本発明に係る光源装置に組込まれる電子装置の構成を示す拡大断面図である。
【図３】本発明に係る電子装置におけるフレキシブルプリント基板の構成を示す平面図である。
【図４】本発明に係る光源装置に組込まれた電子装置部分の構成を示す模式的背面側斜視図である。
【図５】本発明に係る光源装置に組込まれた電子装置部分の構成を示す拡大した背面図である。
【図６】本発明に係る光源装置の構成を示す背面図である。
【図７】本発明に係る光源装置の一部の回路基板を取外した状態の構成を示す背面図である。
【図８】本発明に係る光源装置の発光ダイオード基板部分の構成を示す模式的分解図である。
【図９】本発明に係る光源装置に組込まれた電子装置部分の構成を示す模式的正面側斜視図である。
【図１０】本発明に係る光源装置の発光ダイオード基板部分の構成を示す模式的断面図である。
【図１１】本発明に係る光源装置の導光板の構成を示す斜視図である。
【図１２】本発明に係る光源装置を備える表示装置の構成を示す断面図である。
【図１３】本発明に係る光源装置に組込まれる電子装置の他の構成を示す拡大断面図である。
【図１４】本発明に係る光源装置に組込まれる電子装置の他の構成を示す拡大断面図である。
【図１５】先に開発された光源装置に組込まれている電子装置の構成を示す拡大断面図である。
【符号の説明】
【００６５】
１    発光ダイオード（部品）
２    ドライバ（部品、第２部品）
３    発光ダイオード基板（回路基板）
４    フレキシブルプリント基板
４１  第１の導体層
４２  第２の導体層
４３，４４  接続部
４５  取付片
５    支持体
５２  凹所
６    導光板
Ａ    光源装置
８０  表示部 
【図１】
2010103308.tif 000003
【図２】
2010103308.tif 000004
【図３】
2010103308.tif 000005
【図４】
2010103308.tif 000006
【図５】
2010103308.tif 000007
【図６】
2010103308.tif 000008
【図７】
2010103308.tif 000009
【図８】
2010103308.tif 000010
【図９】
2010103308.tif 000011
【図１０】
2010103308.tif 000012
【図１１】
2010103308.tif 000013
【図１２】
2010103308.tif 000014
【図１３】
2010103308.tif 000015
【図１４】
2010103308.tif 000016
【図１５】
2010103308.tif 000017